(57)【特許請求の範囲】
【請求項１】
前後方向に長い矩形状で上面に取手を設けた本体ケースと、該本体ケースに設けられた吸気口及び排気口と、該排気口と吸気口とを連通する空気流路と、該空気流路に配設された蒸発器と、該蒸発器で発生した結露水を貯留すると共に、本体ケース前面に設けられた装着口から把手によって前記本体ケースの前後方向に着脱自在に装着される排水タンクと、該排水タンク上面を覆うと共に、排水用開口を有するカバーと、該カバーの排水タンク底面方向に設けられ、排水タンクの着脱方向に交差する方向に形成された突条とを備え、前記取手は、前記本体ケースの長手方向で前記突条の形成された方向と交差する方向を長手に形成して設けたことを特徴とする空気調和機。
【請求項２】
前記突条を、排水タンクの満水水位より低い位置まで延設したことを特徴とする請求項１記載の空気調和機。
【請求項３】
前記突条を複数設けたことを特徴とする請求項１または請求項２記載の空気調和機。
【発明の詳細な説明】
【０００１】
【発明の属する技術分野】
本発明は、室内空気を除湿する除湿機能を有する空気調和機に関する。
【０００２】
【従来の技術】
この種、空気調和機として、例えば、吸気口から本体ケース内に取り入れた空気を蒸発器で冷却することにより結露させ、結露した水分を上方開口した排水タンクに溜めて室内空気を除湿する空気調和機が実開昭６２−６２１２８号公報（Ｆ２４Ｆ  １／０２）において知られている。
【０００３】
しかしながら、本体ケースを移動させたり、本体ケースから排水タンクを引き出す際には、排水タンクに慣性力が働いて、排水タンク内に溜まった水が移動し、特に、排水タンク内に満水水位近傍まで水が溜まっている時には、排水タンクから水がこぼれる虞があった。
【０００４】
【発明が解決しようとする課題】
本発明は、上記欠点に鑑みなされたもので、排水タンクに溜まった水をこぼれ難くすることができる空気調和機を提供することを課題とする。
【０００５】
【課題を解決するための手段】
上記課題を解決するための手段は、前後方向に長い矩形状で上面に取手を設けた本体ケースと、該本体ケースに設けられた吸気口及び排気口と、該排気口と吸気口とを連通する空気流路と、該空気流路に配設された蒸発器と、該蒸発器で発生した結露水を貯留すると共に、本体ケース前面に設けられた装着口から把手によって前記本体ケースの前後方向に着脱自在に装着される排水タンクと、該排水タンク上面を覆うと共に、排水用開口を有するカバーと、該カバーの排水タンク底面方向に設けられ、排水タンクの着脱方向に交差する方向に形成された突条とを備え、前記取手は、前記本体ケースの長手方向で前記突条の形成された方向と交差する方向を長手に形成して設けたことを特徴とする。
【０００７】
上記課題を解決するための手段において、前記突条を、排水タンクの満水水位より低い位置まで延設することが好ましい。
【０００８】
上記課題を解決するための手段において、前記突条を複数設けることが好ましい。
【０００９】
【発明の実施の形態】
本発明の一実施の形態を図１乃至図３に基づいて以下に詳述する。
【００１０】
１は上方から見て前後方向に長い矩形状の本体ケースで、一対のケース２、３及び底板４とから構成されている。５は前記本体ケース１内を上部室６と下部室７との２室に仕切る仕切壁である。８は前記上部室６側の本体ケース１の対向する両側面に形成された吸気口、９は前記本体ケース１上面に形成された排気口、１０は前記吸気口８と排気口９とを連通する空気流路である。
【００１１】
１１は前記空気流路１０に配設された送風部で、モータ１２とファン１３とから構成され、吸気口８から空気を吸い込み、空気流路１０を介して排気口９から排気するようになっている。１４は前記送風部１１より上流側に配設された熱交換部で、蒸発器１５と該蒸発器１５の下流側に配設された凝縮器１６とから構成され、仕切板５上面に立設された支持部１７と一方のケース２に形成された保持部１８により固定されている。
【００１２】
１９は前記本体ケース１上面に起倒自在に設けられた取手、２０は前記下部室７を収納室２１と機械室２２との２室に区画する区画板である。前記収納室２２は、本体ケース１に形成された装着口２３を介して着脱自在に装着される後述の排水タンク２７を収納し、機械室２３は、後述する圧縮機２４を収納するようになっている。
【００１３】
２４は前記機械室２３内に配設された圧縮機で、前記凝縮器１６及び蒸発器１５と図示しない配管により連結され、凝縮器１６及び蒸発器１５に冷媒を循環させるようになっている。
【００１４】
前記圧縮機２０によって凝縮器１６及び蒸発器１５に冷媒を循環させることにより、凝縮器１６で熱の放出動作、蒸発器１５で熱の吸収動作を行うため、吸気口８から本体ケース１内に吸い込まれた空気は、蒸発器１５を通過する際に冷やされ、空気中の水分が蒸発器１５表面に結露することにより除湿され、凝縮器１６を通過する際に暖められて相対湿度を低下させて排気口９から排気される。前記蒸発器１５表面に付着した結露水は、仕切板５に滴下する。
【００１５】
２５は前記蒸発器１５下方の仕切板５に形成された凹所で、蒸発器１５から仕切板５上に滴下した結露水が集まるようになっている。２６は前記凹所２５の略中央に形成された排水孔である。
【００１６】
２７は前記収納室２１に装着口２３から着脱自在に収納される排水タンクで、仕切板５上に滴下した結露水が排水孔２６を介して排水タンク２７へ案内されるようになっている。２８は前記排水タンク２７に設けられた把手である。
【００１７】
２９は排水タンク２７上面を覆うカバーで、装着口２３近傍に排水用開口３０を有している。３１は前記カバー２９に設けられた案内孔で、前記排水孔２６に対向する位置に設けられ、排水孔２６から滴下するする結露水を排水タンク２７内に案内するようになっている。３２は前記カバー２９底面から排水タンク２７底面方向に複数設けられた突条で、排水タンク２７の着脱方向に交差する方向に形成されていると共に、排水タンク２７の満水水位より下方まで延設されている。
【００１８】
前記排水タンク２７には、図示しない満水検知手段が設けられており、排水タンク２７内に結露水が所定水位まで溜まったことを検知し、報知するようになっている。
【００１９】
３３は前記排水タンク２７の装着口２３が形成された面の本体ケース１上方に設けられた操作部で、運転・停止を行うスイッチ３４、図示しない運転状態を表示する表示部及び排水タンク２７の満水状態を検知した際に報知する満水表示部等が配設されている。
【００２０】
而して、操作部３３のスイッチ３４を操作すると、室内の空気は、モータ１２の駆動により本体ケース１に設けられた吸気口８から本体ケース１内に取り込まれ、蒸発器１５で結露することにより除湿され、凝縮器１６で暖められた後、排気口９から室内に戻される。
【００２１】
蒸発器１５で結露した水分は水滴となって仕切板５上に滴下し、仕切板５に形成された排水孔２６及びカバー２９に形成された案内孔３１を介して排水タンク２７に流れ落ちる。排水タンク２７内に結露水が所定量溜まると、図示しない制御部が運転を停止させると共に、図示しない満水表示部を点灯させて排水タンク２７内が満水状態であることを報知する。
【００２２】
排水タンク２７を本体ケース１から引き出す際に、排水タンク２７内に溜まった水は慣性力により移動しようとするが、排水タンク２７の着脱方向に交差する方向に形成された突条３２によって水の移動を防いで、水の静穏を保ち、排水タンク２７内に満水水位近傍まで水が溜まっている場合でも、排水用開口３０から水がこぼれ難くなっている。
【００２３】
さらに、突条３２を複数設けているため、排水タンク２７内の水の移動区間を突条３２により細かく区画して、水が移動する量を少なくしており、慣性力により区画内の水が突条３２に衝突した際に水面が上下動する幅を少なくすることができ、水の静穏性を向上することができる。
【００２４】
尚、本実施の形態においては、装着口２３近傍に排水用開口３０を設けたが、これに限定されるものではなく、任意の位置に排水用開口３０を設けると共に、突条３０を設ける構成にしても、本実施の形態と同様な作用効果を奏する。
【００２５】
【発明の効果】
本発明の請求項１の構成によると、排水タンクに慣性力が働いた際、カバーに設けられた突条により、排水タンク内の水の移動を防止するため、排水タンクから水をこぼれ難くすることができる等の効果を奏する。
【００２７】
本発明の請求項２の構成によると、突条を、排水タンクの満水水位より低い位置まで延設しているため、水の移動区間を少なくすることができ、水の移動を突条により確実に防止することができる等の効果を奏する。
【００２８】
本発明の請求項３の構成によると、突条を、排水タンクに複数設けているため、水の移動区間を少なくすることができ、水の静穏性を向上させることができる等の効果を奏する。
【図面の簡単な説明】
【図１】本発明の一実施の形態の空気調和機の断面図である。
【図２】同他の方向から見た断面図である。
【図３】同正面図である。
【符号の説明】
１        本体ケース
８        吸気口
９                排気口
１５        蒸発器
２３        装着口
２７        排水タンク
２９        カバー
３０        排水用開口
３２        突条
【図１】
0003604986.tif 000002
【図２】
0003604986.tif 000003
【図３】
0003604986.tif 000004